(57)【要約】【課題】従来、音楽ＣＤや映像ＤＶＤ、記録媒体としてのＣＤロム等においてはプラスチックケースにて収納され販売され、また紙を基材とした収納封筒は印刷効果が有効に活用されていなかった。【解決手段】固定収納部をそなえた収納封筒と、の表紙又は裏表紙のいずれかを延長し印刷を設け折り込み製本と一体となった収納封筒を提供する。【選択図】図１
2008207872.tif 000002
【特許請求の範囲】
【請求項１】
台紙となる印刷基材の両面に印刷を設け、封筒状に丁合手段として媒体を収納固定する任意の形状となる糊加工を一つ以上設け、さらに台紙と表紙のいずれか任意の位置に両面テープ、ミシン、コーナーカットを設け、台紙と表紙いずれの印刷基材の異なった長さにて丁合し封筒状にて媒体収納部をそなえたことを特徴とした収納封筒。
【請求項２】
台紙となる印刷基材を封筒状に丁合手段として媒体を収納固定する任意の形状となる糊加工を一つ以上設け、さらに台紙と表紙のいずれか任意の位置に両面テープ、ミシン、コーナーカットを設け、台紙と表紙いずれの印刷基材の異なった長さにて丁合し封筒状にて媒体収納部をそなえ台紙と表紙いずれから一折以上にて連続丁合製本されたことを特徴とした請求項１記載の収納封筒及び連続製本収納封筒。
【請求項３】
台紙となる印刷基材の両面に印刷を設け、封筒状に丁合手段として媒体を収納する任意の形状となる糊加工を一つ以上設け、さらに台紙と表紙のいずれか任意の位置に両面テープ、ミシン、コーナーカットを設け、台紙と表紙いずれの印刷基材の異なった長さにて丁合し封筒状にて媒体収納部をそなえ台紙と表紙いずれかの面に製本又は冊子など丁合されたことを特徴とした請求項１及び請求項２記載の収納封筒及び連続製本収納封筒。
【発明の詳細な説明】
【発明の属する技術の分野】
【０００１】本発明は、ＣＤロム、フロッピー、カード等の記録媒体などの収納部を設け収納本体とチケット、ハガキ、広告及び製本と一体になった封筒に関するものである。
【背景技術】
【０００２】従来、ＣＤ、ＤＶＤをカバー紙で被い配送を可能とした（特許公開番号Ｈ９−１７５５８１）が発明されていた。
また、紙にて収納を可能としたディスク用ケース（特開２００５−３２７０６９）が発明されていた。
【特許文献１】特許公開番号特開平９−１７５５８１
【特許文献２】特許公開番号特開２００５−３２７０６９
【発明の開示】
【発明が解決しようとする課題】
【０００３】  これには次のような欠点があった。
平成１８年１１月２８日  特許出願（申請）特願２００６−３４８４８８
平成１８年１１月２８日  特許出願（申請）特願２００６−３４８４８９
上記の出願において任意の形状を固定することを可能とした封筒において、発明を解決する課題として下記に記載する。【０００４】  （イ）音楽ＣＤや映像ＤＶＤ、記録媒体としてのＣＤロム等の販売においてはＣＤロムの保護の目的においてプラスチックケースにて収納し販売されていたがプラスチックケースからに用紙に代用した記録媒体収納封筒の提案において販売効果を望む付加がなされてなかった。
（ロ）販売促進、付録、配布のための音楽ＣＤや映像ＤＶＤ、記録媒体等のＣＤロムの収納として、プラスチックケースから用紙に代用した記録媒体収納封筒の提案がなされていたが、記録媒体収納封筒の印刷スペース等や仕様において十分な効果が得られていなかった。
（ハ）プラスチックケースから用紙に代用した記録媒体収納封筒の提案がなされていたが、記録媒体収納封封筒に印刷を設ける場合には生産数の制限がなされていた。
（ニ）プラスチックケースから用紙に代用した記録媒体収納封筒の提案がなされていたが、記録媒体収納封封筒に印刷を設ける場合には生産数の制限にともない価格の問題により流通が困難であった。
本発明は、これらの問題点を解決するためになされたものである。
【課題を解決するための手段】
【０００５】課題を解決するための手段として、台紙となる印刷基材の両面に印刷を設け、封筒状に丁合手段として媒体を固定収納する任意の形状となる糊加工を一つ以上設け、さらに台紙と表紙のいずれか任意の位置に両面テープ、ミシン、コーナーカットを設け、台紙と表紙いずれの印刷基材の異なった長さにて丁合し封筒状にて媒体収納部をそなえた収納封筒を提供する。【０００６】台紙となる印刷基材を封筒状に丁合手段として媒体を固定収納する任意の形状となる糊加工を一つ以上設け、さらに台紙と表紙のいずれか任意の位置に両面テープ、ミシン、コーナーカットを設け、台紙と表紙いずれの印刷基材の異なった長さにて丁合し封筒状にて媒体収納部をそなえ台紙と表紙いずれから一折以上にて連続丁合製本された連続製本収納封筒を提供する。【０００７】台紙となる印刷基材に収納する固定となる形状を一つ以上糊加工し、開閉の縦ミシンと分割の横ミシンを設けた台紙と表紙を丁合し封筒状にて収納部をそなえたことを特徴とした収納封筒を提供する。【０００８】台紙となる印刷基材の両面に印刷を設け、封筒状に丁合手段として媒体を収納する任意の形状となる糊加工を一つ以上設け、さらに台紙と表紙のいずれか任意の位置に両面テープ、ミシン、コーナーカットを設け、台紙と表紙いずれの印刷基材の異なった長さにて丁合し封筒状にて媒体収納部をそなえ台紙と表紙いずれかの面に製本又は冊子など丁合された収納封筒及び連続製本収納封筒を提供する。
以上本発明の課題を解決するための手段として提供する。
【発明の効果】
【０００９】本発明は、従来プラスチックケースにて音楽ＣＤや映像ＤＶＤ等の記録媒体として収納され販売及提供されていたが、プラスチックケースにおける廃棄処理の問題の解決に至り環境に適した効果を実現するものである。【００１０】本発明の効果により音楽ＣＤや映像ＤＶＤ、記録媒体としてのＣＤロム等の販売においてはＣＤロムの保護の目的においてプラスチックケースにて収納し販売されていたがプラスチックケースに代用した生産コストの削減が実現される。【００１１】本発明の収納封筒本体を延長し印刷範囲を拡張することで映画、演劇、コンサート、イベント等における音楽ＣＤや映像ＤＶＤの付属したチケットなど提供することを可能として宣伝広告を高め産業効果が実現される。【００１２】本発明の収納封筒を白紙にて提供することで、任意の文字、画像、デザイン等をコンピューターにて作成しプリンターより出力することが可能であることから必要枚数に対応した収納封筒の提供効果を実現するものである。【００１３】本発明の収納封筒本体を延長し折り込み印刷範囲を拡張することで、収納封筒と一体された製本又は冊子の提供や、収納封筒本体に製本又は冊子を丁合した収納封筒及び収納封筒製本の提供を実現し産業における販売効果が実現される。
本発明は、以上の効果を実現するものである。
【発明を実施するための最良の形態】
【００１４】  以下、本発明の実施の形態について図１乃至図６をもちいて説明する。
図１に記載されているのは、本発明、収納封筒の実施構成を示した図で印刷基材となる台紙（１０１）にＣＤロム（４０１）が固定できる約半周の凹の形状で糊部（１０２）を加工し糊部（１０２）により丁合接着される。
台紙（１０１）は表紙（３０１）に比較し延長され開封のためのコーナーカット（１０４）封筒開閉ミシン（１０５）、両面テープ（１０６）、ミシン（２０３ａ）からチケット部（２０１）に構成され、さらにチケットの半券のキリトリのためのミシン（２０２ａ）が設けられている。【００１５】本明細の記載においての引例として図１チケット部（２０１）としているが目的と汎用において任意の活用をするものである。
また、本明細の記載においての引例として図１ＣＤロム（４０１）としているが収納物の厚みが用紙の貼り合わせによる挟み込みが可能であればカード、名刺など収納物は任意に使用されるものである。【００１６】本発明の印刷基材は目的と用途に応じて印刷が可能となる再生紙、フイルム、不燃紙、特殊用紙等が基材として使用される。【００１７】図２に記載されているのは、前記図１に記載した本発明収納封筒の応用の使用で本封筒を白紙にて作成後のコンピューターにて任意のデータ作成後の本封筒をプリンターにて出力した実施の形態である。【００１８】本発明の図２に記載されているのは、音楽、映画などのＣＤ、ＤＶＤのレンタルショップにおける貸し出しに使用する際に、ＣＤ、ＤＶＤの貸し出し伝票とＣＤ、ＤＶＤの収納管理の一体の形態になるものである。【００１９】白紙の収納封筒にコンピューターにて任意のデータ作成後の本封筒をプリンターにて出力し活用する手段は、本明細の記載される以外の用途も可能とされるものである。【００２０】図３に記載されているのは前記図１、図２に記載した本発明収納封筒の実施の形態で開閉部（１０３）からＣＤロム（４０１）の取り出しと取り入れがされる形態を示した図である。【００２１】図４に記載されているのは、前記図３に記載した本発明、収納封筒の断面構成を示した図で台紙（１０１）、糊部（１０２）、表紙（２０１）の順の構成で台紙（１０１）、及び表紙（３０１）に横ミシン（３０３）、コーナーカット（３０４）が設けられ、台紙（１０１）にコーナーカット（１０４）封筒開閉のための横ミシン（３０３）、封印のための両面テープ、チケット部（２０１）キリトリのためのミシン（２０２ａ）が設けられている実施の形態を示した図である。【００２２】図５に記載されているのは前記図１、図２に記載した本発明、収納封筒の応用で印刷基材となる台紙（１０１）からなるチケット部（２０１）又は貸し出しレシート（２０１ａ）から、台紙（１０１）と同じ寸法にて天地交差の折込された形態を示した図である。【００２３】図６に記載されているのは、前記図５に記載した本発明、収納封筒の応用で台紙（１０１）に別加工された製本又は冊子が添付される形態を示した図である。
以上、本発明の構成で、実施において下記に示す。【００２４】本発明の実施【００２５】本発明は、記録媒体としてのＣＤロム、フロッピー、メモリーカード等の販売においては保護、保管の目的においてプラスチックケースにて収納されていたがプラスチックケースに代用した印刷基材における収納の提供の実施をするものである。また、収納保管において記録媒体（メディア）のみでなく収納物の厚みが用紙の貼り合わせによる挟み込みが可能であれば、カード、名刺、などでも使用が可能である。【００２６】本発明収納封筒の応用の実施例として本封筒を白紙にて作成後のコンピューターにて任意のデータ作成後の本封筒をプリンターにて出力することで、一般家庭での汎用の実施が可能とされるものである。【００２７】本発明の実施は音楽ＣＤや映像ＤＶＤ、記録媒体としてのＣＤロム等の販売においてはＣＤロムの保護の目的においてプラスチックケースにて収納し販売されていたがプラスチックケースに代用した用紙基材を再生紙の提供により、環境問題に対応した記録媒体（メディア）の収納物の提供の実施をするものである。
以上、本発明は実施される。
【産業上の利用可能性】
【００２８】本発明の産業上の利用可能性として収納封筒本体を延長し印刷範囲を拡張することで映画、演劇、コンサート、イベント等における音楽ＣＤや映像ＤＶＤの付属したチケットなど提供することを可能として宣伝広告を高め産業効果が実現される。【００２９】産業上の利用可能性として本発明の収納封筒を白紙にて提供することで、任意の文字、画像、デザイン等をコンピューターにて作成しプリンターより出力することが可能であることから必要枚数に対応した収納封筒の提供効果を実現し、宣伝広告、告知表示、伝票の代用として必要枚数のプリント印刷が可能となることで本発明の収納封筒は産業効果が実現され、また図５、６に示す収納封筒製本は雑誌及び上製本、パンフレットに付録とされるＣＤメディアの収納の表紙として実施することで製本における産業効果が実現される。
本発明は、以上の構成より産業上利用されるものである。
【図面の簡単な説明】
【００３０】
【図１】  本発明収納封筒の印刷形態の実施の図である。
【図２】  本発明収納封筒のプリンター出力形態の実施の図である。
【図３】  本発明収納封筒の実施の図である。
【図４】  本発明収納封筒の断面図である。
【図５】  本発明連続製本収納封筒の実施の図である。
【図６】  本発明連続製本収納封筒の実施応用の図である。
【符号の説明】
【００３１】１０１．台紙
１０２．糊部
１０３．開閉部
１０４．コーナーカット
１０５．封筒開閉ミシン
１０６．両面テープ
２０１．チケッケト部
２０１ａ．貸出レシート
２０２ａ．ミシン
２０３ｂ．ミシン
３０１．表紙
３０２．印刷
３０２ａ．プリンター印字
３０２ｂ．プリンター印字
３０３．ミシン
３０４．コーナーカット
４０１．ＣＤロム
４０１ａ．貸出ＤＶＤ
５０１．延長製本部
６０１．製本
【図１】
2008207872.tif 000003
【図２】
2008207872.tif 000004
【図３】
2008207872.tif 000005
【図４】
2008207872.tif 000006
【図５】
2008207872.tif 000007
【図６】
2008207872.tif 000008